(57)【特許請求の範囲】
【請求項１】
（ａ）第１デコーダで第１ビデオストリームをデコーディングすることによって、ビデオコンテンツを２次元で表示するための２次元ビデオデータを生成するステップと、
（ｂ）第２デコーダで第２ビデオストリームをデコーディングすることによって、前記ビデオコンテンツの表示区間のうち少なくとも一つ以上の一部区間を３次元で表示するための３次元ビデオデータを生成するステップと、
（ｃ）前記一部区間に関する時間情報を参照して、前記第１デコーダで生成された２次元ビデオデータと前記第２デコーダで生成された３次元ビデオデータのうちいずれか一つを出力するステップとを含み、
前記（ａ）段階は、前記第１デコーダで前記ビデオコンテンツの表示区間全体を２次元で表示するための２次元ビデオデータを生成することを特徴とするデコーディング方法。
【請求項２】
時間情報ストリームをパージングすることによって前記一部区間に関する時間情報を生成するステップと、
前記生成された時間情報を参照して前記第１デコーダにより生成された２次元ビデオデータまたは前記第２デコーダにより生成された３次元ビデオデータのうちいずれか一つを出力するステップとをさらに含むことを特徴とする請求項１に記載のデコーディング方法。
【請求項３】
前記時間情報は、前記ビデオコンテンツの表示次元の転換を表すフラッグ、前記ビデオコンテンツの２次元表示開始点、及び前記ビデオコンテンツの３次元表示開始点を含むことを特徴とする請求項２に記載のデコーディング方法。
【請求項４】
前記フラッグは、ＭＰＥＧ−２規格上のスプライシングポイントフラッグ（ｓｐｌｉｃｉｎｇ＿ｐｏｉｎｔ＿ｆｌａｇ）であり、前記表示開始点は、ＭＰＥＧ−２規格上のスプライスカウントダウン（ｓｐｌｉｃｅ＿ｃｏｕｎｔｄｏｗｎ）であることを特徴とする請求項３に記載のデコーディング方法。
【請求項５】
プログラム情報ストリームをパージングすることによって前記一部区間に関するプログラム情報を生成するステップと、
前記生成されたプログラム情報を参照してトランスポートストリームから前記３次元ビデオデータを抽出するステップとをさらに含むことを特徴とする請求項１に記載のデコーディング方法。
【請求項６】
前記プログラム情報は、前記一部区間に関するプログラムエレメントのタイプ、前記３次元ビデオデータに対するパケットのプログラムＩＤ、及び前記３次元ビデオデータに関する叙述情報を含むことを特徴とする請求項５に記載のデコーディング方法。    
【請求項７】
第１ビデオストリームをデコーディングすることによって、ビデオコンテンツを２次元で表示するための２次元ビデオデータを生成する第１デコーダと、
第２ビデオストリームをデコーディングすることによって、前記ビデオコンテンツの表示区間のうち少なくとも一つ以上の一部区間を３次元で表示するための３次元ビデオデータを生成する第２デコーダと、
前記一部区間に関する時間情報を参照して、前記第１デコーダで生成された２次元ビデオデータと前記第２デコーダで生成された３次元ビデオデータのうちいずれか一つを出力する出力部とを備え、
前記第１デコーダは、前記ビデオコンテンツの表示区間全体を２次元で表示するための２次元ビデオデータを生成することを特徴とするデコーディング装置。
【請求項８】
第１デコーダで第１ビデオストリームをデコーディングすることによって、ビデオコンテンツを２次元で表示するための２次元ビデオデータを生成するステップと、
第２デコーダで第２ビデオストリームをデコーディングすることによって、前記ビデオコンテンツの表示区間のうち少なくとも一つ以上の一部区間を３次元で表示するための３次元ビデオデータを生成するステップと、
前記一部区間に関する時間情報を参照して、前記第１デコーダで生成された２次元ビデオデータと前記第２デコーダで生成された３次元ビデオデータのうちいずれか一つを出力するステップとを含み、
前記２次元ビデオデータを生成するステップは、前記第１デコーダで前記ビデオコンテンツの表示区間全体を２次元で表示するための２次元ビデオデータを生成することを特徴とするデコーディング方法をコンピュータで実行させるためのプログラムを記録したコンピュータで読み取り可能な記録媒体。
【請求項９】
（ａ）第１エンコーダでビデオコンテンツを２次元で表示するための２次元ビデオデータをエンコーディングすることによって第１ビデオストリームを生成するステップと、
（ｂ）第２エンコーダで前記ビデオコンテンツの表示区間のうち少なくとも一つ以上の一部区間を３次元で表示するための３次元ビデオデータをエンコーディングすることによって第２ビデオストリームを生成するステップと、
（ｃ）前記第１エンコーダで生成された第１ビデオストリームと前記第２エンコーダで生成された第２ビデオストリームを少なくとも含み、
前記（ａ）段階は、前記ビデオコンテンツの表示区間全体を２次元で表示するための２次元ビデオデータをエンコーディングすることを特徴とするエンコーディング方法。
【請求項１０】
前記一部区間に関する時間情報を表す時間情報ストリームを生成するステップをさらに含むことを特徴とする請求項９に記載のエンコーディング方法。
【請求項１１】
前記時間情報は、前記ビデオコンテンツの表示次元の転換を表すフラッグ、前記一部区間の開始を表す３次元表示開始点、及び前記一部区間の終了を表す２次元表示開始点を含むことを特徴とする請求項１０に記載のエンコーディング方法。
【請求項１２】
前記フラッグは、ＭＰＥＧ−２規格上のスプライシングポイントフラッグ（ｓｐｌｉｃｉｎｇ＿ｐｏｉｎｔ＿ｆｌａｇ）であり、前記表示開始点は、ＭＰＥＧ−２規格上のスプライスカウントダウン（ｓｐｌｉｃｅ＿ｃｏｕｎｔｄｏｗｎ）であることを特徴とする請求項１１に記載のエンコーディング方法。
【請求項１３】
前記一部区間に関するプログラム情報を表すプログラム情報ストリームを生成するステップをさらに含むことを特徴とする請求項９に記載のエンコーディング方法。
【請求項１４】
前記プログラム情報は、前記一部区間に関するプログラムエレメントのタイプ、前記３次元ビデオデータに対するパケットのプログラムＩＤ、及び前記３次元ビデオデータに関する叙述情報を含むことを特徴とする請求項１３に記載のエンコーディング方法。
【請求項１５】
ビデオコンテンツを２次元で表示するための２次元ビデオデータをエンコーディングすることによって第１ビデオストリームを生成する第１エンコーダと、
前記ビデオコンテンツの表示区間のうち少なくとも一つ以上の一部区間を３次元で表示するための３次元ビデオデータをエンコーディングすることによって第２ビデオストリームを生成する第２エンコーダと、
前記第１エンコーダで生成された第１ビデオストリームと前記第２エンコーダで生成された第２ビデオストリームを少なくとも含むトランスポートストリームを生成するＭＵＸとを備え、
前記第１エンコーダは、前記ビデオコンテンツの表示区間全体を２次元で表示するための２次元ビデオデータをエンコーディングすることを特徴とするエンコーディング装置。
【請求項１６】
第１エンコーダでビデオコンテンツを２次元で表示するための２次元ビデオデータをエンコーディングすることによって第１ビデオストリームを生成するステップと、
第２エンコーダで前記ビデオコンテンツの表示区間のうち少なくとも一つ以上の一部区間を３次元で表示するための３次元ビデオデータをエンコーディングすることによって第２ビデオストリームを生成するステップと、
前記第１エンコーダで生成された第１ビデオストリームと前記第２エンコーダで生成された第２ビデオストリームを少なくとも含むトランスポートストリームを生成するステップと、を含み、
前記第２ビデオストリームを生成するステップは、前記ビデオコンテンツの表示区間全体を２次元で表示するための２次元ビデオデータをエンコーディングすることを特徴とするエンコーディング方法をコンピュータで実行させるためのプログラムを記録したコンピュータで読み取り可能な記録媒体。
【発明の詳細な説明】
【技術分野】
【０００１】
本発明は、ビデオデータをエンコーディング／デコーディングする方法及び装置に係り、特に、ＭＰＥＧ（Ｍｏｖｉｎｇ  Ｐｉｃｔｕｒｅ  Ｅｘｐｅｒｔｓ  Ｇｒｏｕｐ）−２によってビデオデータをエンコーディング／デコーディングする方法及び装置に関する。
【背景技術】
【０００２】
高解像度ディスプレイ装置の発展につれて、ビデオコンテンツを２次元ではなく３次元に視聴しようとする要求が大きくなっており、特に広告分野、教育分野、ゲーム分野などでさらに大きい。これにより、２Ｄ／３Ｄスイッチングの可能なディスプレイ装置、２次元ビデオデータを３次元ビデオデータに転換させるアルゴリズムなどが開発されている。
【０００３】
しかし、３次元ビデオデータは３次元で表示されるために、２次元ビデオデータに比べてそのデータ量が倍に増加するか、画質が落ちるという問題点があった。また、３次元ビデオを長時間視聴する場合、現在の技術的限界による実際３次元イメージとの差によって疲労度、めまいなどを誘発する。このような伝送容量、技術的限界などの問題点のためにまだ３次元ビデオ事業自体が始まっていない。
【特許文献１】韓国特開第２００２−００２７４１５号公報
【特許文献２】韓国特開第２００４−００５８８４３号公報
【特許文献３】米国特許第６７４１２４２号
【特許文献４】米国特許第６３８４８２１号
【発明の開示】
【発明が解決しようとする課題】
【０００４】
本発明が解決しようとする技術的課題は、ビデオコンテンツの表示区間のうち一部区間のみを３次元で表示させることによって従来の伝送容量、技術的限界などに拘らず、より自由にビデオコンテンツの３次元表示を活用できる装置及び方法を提供するところにある。また、前記の方法をコンピュータで実行させるためのプログラムを記録したコンピュータで読み取り可能な記録媒体を提供するところにある。
【課題を解決するための手段】
【０００５】
前記技術的課題を解決するための本発明によるデコーディング方法は、第１ビデオストリームをデコーディングすることによって、ビデオコンテンツを２次元で表示するための２次元ビデオデータを生成するステップと、第２ビデオストリームをデコーディングすることによって、前記ビデオコンテンツの表示区間のうち少なくとも一つ以上の一部区間を３次元で表示するための３次元ビデオデータを生成するステップとを含む。
【０００６】
前記他の技術的課題を解決するための本発明によるデコーディング装置は、第１ビデオストリームをデコーディングすることによって、ビデオコンテンツを２次元で表示するための２次元ビデオデータを生成する第１デコーダと、第２ビデオストリームをデコーディングすることによって、前記ビデオコンテンツの表示区間のうち少なくとも一つ以上の一部区間を３次元で表示するための３次元ビデオデータを生成する第２デコーダとを備える。
【０００７】
前記さらに他の技術的課題を解決するために、本発明は、前記デコーディング方法をコンピュータで実行させるためのプログラムを記録したコンピュータで読み取り可能な記録媒体を提供する。
【０００８】
前記さらに他の技術的課題を解決するための本発明によるエンコーディング方法は、ビデオコンテンツを２次元で表示するための２次元ビデオデータをエンコーディングすることによって第１ビデオストリームを生成するステップと、前記ビデオコンテンツの表示区間のうち少なくとも一つ以上の一部区間を３次元で表示するための３次元ビデオデータをエンコーディングすることによって第２ビデオストリームを生成するステップとを含む。
【０００９】
前記さらに他の技術的課題を解決するための本発明によるエンコーディング装置は、ビデオコンテンツを２次元で表示するための２次元ビデオデータをエンコーディングすることによって第１ビデオストリームを生成する第１エンコーダと、前記ビデオコンテンツの表示区間のうち少なくとも一つ以上の一部区間を３次元で表示するための３次元ビデオデータをエンコーディングすることによって第２ビデオストリームを生成する第２エンコーダとを備える。
【００１０】
前記さらに他の技術的課題を解決するために、本発明は、前記エンコーディング方法をコンピュータで実行させるためのプログラムを記録したコンピュータで読み取り可能な記録媒体を提供する。
【発明の効果】
【００１１】
本発明によれば、ビデオコンテンツの表示区間のうち、ビデオコンテンツ製作者が強調しようとする一部区間のみを３次元で表示させることで、ビデオコンテンツを視聴する人にこの一部区間に対する強い印象を与えることができるという効果がある。これを、広告分野、教育分野、ゲーム分野に活用するならば、はるかに効率的な広告、教育、ゲームの効果を創出できる。
【００１２】
また、本発明によれば、ビデオコンテンツの表示区間のうち一部区間のみを３次元で表示させることで、従来の伝送容量、技術的限界などに拘らず、さらに自由にビデオコンテンツの３次元表示を活用できる。
【発明を実施するための最良の形態】
【００１３】
以下では、図面を参照して本発明の望ましい実施形態を詳細に説明する。
【００１４】
図１は、本発明の望ましい一実施形態による２次元ビデオ基盤のローカル３次元ビデオの具現方式を示す図である。図１を参照するに、本実施形態による２次元ビデオ基盤のローカル３次元ビデオは、次のように２つの方式で具現できる。
【００１５】
第１の方式１１によれば、ビデオコンテンツの表示区間全体に対してビデオコンテンツを２次元で表示するための２次元ビデオデータが提供され、ビデオコンテンツの表示区間のうち少なくとも一つ以上の一部区間に対してビデオコンテンツを３次元で表示するための３次元ビデオデータが提供される。
【００１６】
第２の方式１２によれば、ビデオコンテンツの表示区間のうち少なくとも一つ以上の一部区間に対してビデオコンテンツを３次元で表示するための３次元ビデオデータが提供されることは第１の方式１１と同一であるが、前記の一部区間を除外した残りの区間に対してのみビデオコンテンツを２次元で表示させるための２次元ビデオデータが提供される。
【００１７】
第１の方式１１は、２次元ビデオ及び３次元ビデオをいずれも再生できる装置はもとより、２次元ビデオのみを再生できる装置でも２次元だけでビデオコンテンツを視聴できるという長所があるが、ビデオコンテンツが３次元で表示される一部区間に対しても２次元ビデオデータが提供されねばならないために、データの伝送量が増加するという短所がある。
【００１８】
一方、第２の方式１２は、ビデオコンテンツが３次元で表示される一部区間に対しては２次元ビデオデータが提供される必要がないので、データの伝送量が減少するという長所があるが、２次元ビデオ及び３次元ビデオをいずれも再生できる装置でのみビデオコンテンツを視聴できるという短所がある。
【００１９】
前記のように、ビデオコンテンツの表示区間のうちビデオコンテンツ製作者が強調しようとする一部区間のみを３次元で表示させることで、ビデオコンテンツを視聴する者にこの一部区間に対する強い印象を与えることができる。これを広告分野、教育分野、ゲーム分野などに活用するならば、さらに効率的な広告、教育、ゲームの効果を創出できる。
【００２０】
また、従来のようにビデオコンテンツ全体を３次元ビデオデータで提供する場合に比べて飛躍的にデータ伝送量が減少する。
【００２１】
図２は、本発明の望ましい一実施形態によるＭＰＥＧ−２エンコーディング装置の構成図である。図２を参照するに、本実施形態によるＭＰＥＧ−２エンコーディング装置は、発振器２０１、クロック分周器２０２、第１  Ａ／Ｄ変換器（アナログ／デジタル変換器）２０３、第２  Ａ／Ｄ変換器２０４、カウンタ２０５、制御部２０６、時間情報生成部２０７、２Ｄビデオエンコーダ２０８、３Ｄビデオエンコーダ２０９、オーディオエンコーダ２１０、プログラム情報生成部２１１、ＭＵＸ（マルチプレクサ）２１２、及び伝送部２１３で構成される。
【００２２】
発振器２０１は、２７ＭＨｚマスタークロック信号を生成する。
【００２３】
クロック分周器２０２は、発振器２０１により生成された２７ＭＨｚマスタークロック信号を分周して、ビデオクロック信号及びオーディオクロック信号を生成する。
【００２４】
第１  Ａ／Ｄ変換器２０３は、クロック分周器２０２により生成されたビデオクロック信号によって元来のビデオコンテンツに該当するアナログビデオデータをデジタルビデオデータに変換する。
【００２５】
第２  Ａ／Ｄ変換器２０４は、クロック分周器２０２により生成されたオーディオクロック信号によって元来のオーディオコンテンツに該当するアナログオーディオデータをデジタルオーディオデータに変換する。
【００２６】
カウンタ２０５は、発振器２０１により発生した２７ＭＨｚマスタークロック信号によって４２ビット単位でカウンティングすることによって、９０ＫＨｚクロック信号及び２７ＫＨｚクロック信号を生成する。より詳細に説明すれば、カウンタ２０５は、４２ビットカウンティング値のうち上位３３ビットに該当するカウンティング値から９０ＫＨｚクロック信号を獲得し、下位９ビットに該当するカウンティング値から２７ＫＨｚクロック信号を獲得する。
【００２７】
制御部２０６は、ビデオコンテンツの表示区間のうち少なくとも一つ以上の一部区間に対してのみ３Ｄビデオエンコーダ２０９によるエンコーディングが行われるように制御する。より具体的に説明すれば、制御部２０６は、第１  Ａ／Ｄ変換器２０３での変換結果であるデジタルビデオデータのうちビデオコンテンツの表示区間のうち少なくとも一つ以上の一部区間に該当するデジタルビデオデータのみ３Ｄビデオエンコーダ２０９に出力されるように、第１  Ａ／Ｄ変換器２０３と３Ｄビデオエンコーダ２０９とを連結するスイッチを制御する。
【００２８】
また、制御部２０６は、ビデオコンテンツの表示区間全体に対して２Ｄビデオエンコーダ２０８によるエンコーディングが行われるように制御するか、前記の一部区間を除外した残りの区間に対して２Ｄビデオエンコーダ２０８によるエンコーディングが行われるように制御する。前者の場合をさらに具体的に説明すれば、制御部２０６は、第１  Ａ／Ｄ変換器２０３での変換結果であるデジタルビデオデータのうちビデオコンテンツの表示区間全体に該当するデジタルビデオデータが２Ｄビデオエンコーダ２０８に出力されるように、第１  Ａ／Ｄ変換器２０３と２Ｄビデオエンコーダ２０８とを連結するスイッチを制御する。後者の場合をより具体的に説明すれば、制御部２０６は、第１  Ａ／Ｄ変換器２０３での変換結果であるデジタルビデオデータのうち前記一部区間を除外した残りの区間に該当するデジタルビデオデータが２Ｄビデオエンコーダ２０８に出力されるように、第１  Ａ／Ｄ変換器２０３と２Ｄビデオエンコーダ２０８とを連結するスイッチを制御する。
【００２９】
時間情報ストリーム生成部２０７は、制御部２０６での制御情報に基づいて２Ｄビデオエンコーダ２０８、３Ｄビデオエンコーダ２０９、及びオーディオエンコーダ２１０により生成されたストリームをＭＰＥＧ−２デコーディング装置により適切な時点にデコーディングさせるための時間情報を表す時間情報ストリームを生成する。特に、本実施形態によれば、時間情報ストリーム生成部２０７は、ビデオコンテンツが３次元で表示される一部区間に関する時間情報を表す時間情報ストリームを生成する。
【００３０】
図３は、本発明の望ましい一実施形態によるトランスポートストリームのフォーマットを示す図である。図３を参照するに、本実施形態によるトランスポートストリームは、１８８バイトの一定の長さを持つ複数のトランスポートストリームパケット（以下、“ＴＳパケット”という）で構成される。また、このＴＳパケットそれぞれは、ヘッダ３１、アダプテーションフィールド３２、及びペイロード３３で構成される。
【００３１】
アダプテーションフィールドは、図３に図示されたような複数のフィールドで構成される。特に、本実施形態では、ビデオコンテンツが３次元で表示される一部区間に関する時間情報を表すために、アダプテーションフィールドの構成フィールドのうちスプライシングポイントフラッグ（ｓｐｌｉｃｉｎｇ＿ｐｏｉｎｔ＿ｆｌａｇ）３２１及びスプライスカウントダウン（ｓｐｌｉｃｅ＿ｃｏｕｎｔｄｏｗｎ）３２２を使用する。より詳細に説明すれば、スプライシングポイントフラッグ３２１は、ビデオコンテンツの表示次元の転換を表すフラッグとして使われ、スプライスカウントダウン３２２は、ビデオコンテンツが３次元で表示される一部区間の開始を表す３次元表示開始点、前記の一部区間の終了を表す２次元表示開始点として使われる。
【００３２】
すなわち、本実施形態による時間情報は、前記のようなスプライシングポイントフラッグ３２１及びスプライスカウントダウン３２２を含み、それ以外にもＭＰＥＧ−２規格上の時間情報であるＰＣＲ（プログラムクロックリファレンス）、ＰＴＳ（プレゼンテーションタイムスタンプ）、ＤＴＳ（デザイディングタイムスタンプ）などを含む。ＰＣＲは、ＭＰＥＧ−２エンコーディング装置とＭＰＥＧ−２デコーディング装置とを同期させるための２７ＭＨｚｃｌｏｃｋサンプルであり、ＰＴＳは、ビデオコンテンツが表示される時点を管理するためのタイムスタンプであり、ＤＴＳは、ビデオコンテンツがデコーディングされる時点を管理するためのタイムスタンプである。
【００３３】
２Ｄビデオエンコーダ２０８は、第１  Ａ／Ｄ変換器２０３による変換結果であるデジタルビデオデータのうちビデオコンテンツを２次元で表示するための２次元ビデオデータを、カウンタ２０５により生成された９０ＫＨｚクロック信号によって同期化してエンコーディングすることによって、２次元ビデオストリームを生成する。より詳細に説明すれば、２Ｄビデオエンコーダ２０８は、第１  Ａ／Ｄ変換器２０３による変換結果であるデジタルビデオデータから人間の右眼と左眼ともに同一に適用される２次元ビデオデータを抽出し、これをエンコーディングする。
【００３４】
特に、本実施形態が図１に図示された第１の方式１１によるならば、２Ｄビデオエンコーダ２０８は、ビデオコンテンツの表示区間全体を２次元で表示するための２次元ビデオデータをエンコーディングする。また、本実施形態が図１に図示された第２の方式１１によるならば、２Ｄビデオエンコーダ２０８は、ビデオコンテンツが３次元で表示される一部区間を除外した残りの区間を２次元で表示するための２次元ビデオデータをエンコーディングする。
【００３５】
３Ｄビデオエンコーダ２０９は、第１  Ａ／Ｄ変換器２０３による変換結果であるデジタルビデオデータのうちビデオコンテンツを３次元で表示するための３次元ビデオデータをカウンタ２０５により生成された９０ＫＨｚクロック信号によって同期化されてエンコーディングすることによって３次元ビデオストリームを生成する。より詳細に説明すれば、２Ｄビデオエンコーダ２０８は、第１  Ａ／Ｄ変換器２０３による変換結果であるデジタルビデオデータから人間の右眼に適用されるビデオデータと左眼に適用されるビデオデータとをそれぞれ抽出し、これらをエンコーディングする。
【００３６】
オーディオエンコーダ２１０は、第２  Ａ／Ｄ変換器２０４による変換結果であるデジタルオーディオデータを、カウンタ２０５により生成された９０ＫＨｚクロック信号によって同期化してエンコーディングすることによってオーディオストリームを生成する。
【００３７】
プログラム情報ストリーム生成部２１１は、制御部２０６での制御情報に基づいて２Ｄビデオエンコーダ２０８、３Ｄビデオエンコーダ２０９、及びオーディオエンコーダ２１０により生成されたストリームを、ＭＰＥＧ−２デコーディング装置によりいずれか一つのプログラムで識別させるためのプログラム情報を表すプログラム情報ストリームを生成する。特に、本実施形態によれば、プログラム情報ストリーム生成部２１１は、ビデオコンテンツが３次元で表示される一部区間に関するプログラム情報を表すプログラム情報ストリームを生成する。
【００３８】
図４は、本発明の望ましい一実施形態によるプログラムマップテーブルのフォーマットを示す図である。図４を参照するに、本実施形態によるプログラムマップテーブルは、図４に図示されたような複数のフィールドで構成される。特に、本実施形態では、ビデオコンテンツが３次元で表示される一部区間に関するプログラム情報を表すために、プログラムマップテーブルの構成フィールドのうちプログラムエレメントフィールドを使用し、その中でもストリームタイプ４１、エレメンタリーＰＩＤ（Ｐａｃｋｅｔ  ＩＤｅｎｔｉｆｉｃａｔｉｏｎ）４２、及びデスクリプタ４３を使用する。
【００３９】
より詳細に説明すれば、ストリームタイプ４１は、３次元で表示される一部区間に関するプログラムエレメントのタイプを表すフィールドとして使われ、エレメンタリーＰＩＤ  ４２は、一部区間に該当する３次元ビデオデータに対するＴＳパケットのＰＩＤを表すフィールドとして使われ、デスクリプタ４３は、３次元ビデオデータに関する叙述情報を表すフィールドとして使われる。
【００４０】
すなわち、本実施形態によるプログラム情報は、前記のようなストリームタイプ４１、エレメンタリーＰＩＤ  ４２、及びデスクリプタ４３を含み、それ以外にもＭＰＥＧ−２規格上のＰＳＩ（プログラムスペシフィックインフォメーション）及びＰＳＩＰ（プログラムアンドシステムインフォメーションプロトコル）などを含む。トランスポートストリームは、複数のプログラムに該当するビデオストリームとオーディオストリームとで構成されているために、複数のプログラムのうちいずれか一つのプログラムに該当するパケットのみを選別してどのようにデコーディングすべきかに関する情報が必要になる。これが直ちにＰＳＩである。ＰＳＩＰは、ＡＴＳＣ（アドバンストテレビジョンシステムコミッティー）という団体により制定されたデジタルＴＶ放送規格であって、デジタルＴＶ放送のためのチャンネル情報、プログラム情報、及びシステム情報などを含む。
【００４１】
ＭＵＸ  ２１２は、２Ｄビデオエンコーダ２０８により生成された２次元ビデオストリーム２０８、３Ｄビデオエンコーダ２０９により生成された３次元ビデオストリーム、オーディオエンコーダ２１０により生成されたオーディオストリーム、時間情報ストリーム生成部２０７により生成された時間情報ストリーム、及びプログラム情報ストリーム生成部２０８により生成されたプログラム情報ストリームをマルチプレクシングすることによってトランスポートストリームを生成する。
【００４２】
伝送部２１３は、ＭＵＸ  ２１２により生成されたトランスポートストリームをＭＰＥＧ−２デコーディング装置に伝送する。
【００４３】
図５は、本発明の望ましい一実施形態によるビデオコンテンツの表示タイミング図である。図５を参照するに、本実施形態によるビデオコンテンツの表示タイミングは、図４に図示されたＭＰＥＧ−４エンコーディング装置から伝送されるトランスポートストリームで具現でき、横軸は、ビデオコンテンツが表示される区間を表し、縦軸は、トランスポートストリームのプログラムエレメントを表す。
【００４４】
まず、Ｔ０区間は、ビデオコンテンツが２次元で表示される区間であって、この区間中に再生されるＴＳパケットのうち少なくとも一つ以上のパケット５１のスプライシングポイントフラッグ３２１には、ビデオコンテンツの表示次元の転換を表す値、すなわち“１”が記録されており、スプライスカウントダウン３２２には、３次元で表示される一部区間の開始を表す値、すなわち、３次元ビデオストリームを含むＴＳパケットが到着するまで残っているＴＳパケットの数が記録されている。ＭＰＥＧ−２デコーディング装置は、このようなスプライシングポイントフラッグ３２１及びスプライスカウントダウン３２２を参照して正確な時点に２次元表示を３次元表示に転換できる。
【００４５】
次いで、Ｔ１区間は、ビデオコンテンツが３次元で表示される区間であって、この区間中に再生されるＴＳパケットのうち少なくとも一つ以上のパケット５２のスプライシングポイントフラッグ３２１には、ビデオコンテンツの表示次元の転換を表す値、すなわち、“１”が記録されており、スプライスカウントダウン３２２には３次元で表示される一部区間の終了を表す値、すなわち、２次元ビデオストリームを含むＴＳパケットＩ到着するまで残っているＴＳパケットの数が記録されている。ＭＰＥＧ−２デコーディング装置は、このようなスプライシングポイントフラッグ３２１及びスプライスカウントダウン３２２を参照して、正確な時点に３次元表示を２次元表示に転換できる。ただし、Ｔ１区間間には、２次元ビデオのみを再生できる装置もビデオコンテンツを再生可能にするために、２次元ビデオストリームを含むＴＳパケット５２、５３が提供されうる。
【００４６】
図６は、本発明の望ましい一実施形態によるＭＰＥＧ−２デコーディング装置の構成図である。図６を参照するに、本実施形態によるＭＰＥＧ−２デコーディング装置は、受信部６０１、ＤＥＭＵＸ（デマルチプレクサ）６０２、時間情報ストリームパーザー６０３、カウンタ６０４、発振器６０５、制御部６０６、２Ｄビデオデコーダ６０７、３Ｄビデオデコーダ６０８、オーディオデコーダ６０９、プログラム情報ストリームパーザー６１０、クロック分周器６１１、第１  Ｄ／Ａ変換器６１２、第２  Ｄ／Ａ変換器６１３、２Ｄ／３Ｄスイッチング表示部６１４で構成される。
【００４７】
受信部６０１は、図２に図示されたＭＰＥＧ−２エンコーディング装置からトランスポートストリームを受信する。
【００４８】
ＤＥＭＵＸ  ６０２は、受信部６０１に受信されたトランスポートストリームをデマルチプレクシングすることによって２次元ビデオストリーム、３次元ビデオストリーム、オーディオストリーム、時間情報ストリーム、及びプログラム情報ストリームを抽出する。
【００４９】
時間情報ストリームパーザー６０３は、ＤＥＭＵＸ  ６０２により抽出された時間情報ストリームをパージングすることによって、ＤＥＭＵＸ  ６０２に抽出されたストリームをＭＰＥＧ−２デコーディング装置により適切な時点にデコーディングさせるための時間情報を生成する。特に、本実施形態によれば、時間情報ストリームパーザー６０３は、ビデオコンテンツが３次元で表示される一部区間に関する時間情報を生成する。前記のように、時間情報は、ビデオコンテンツの表示次元の転換を表すフラッグであるスプライシングポイントフラッグ３２１、ビデオコンテンツの２次元表示開始点であるスプライスカウントダウン３２２、及びビデオコンテンツの３次元表示開始点であるスプライスカウントダウン３２２を含み、それ以外にもＭＰＥＧ−２規格上の時間情報であるＰＣＲ、ＰＴＳ、ＤＴＳなどを含む。
【００５０】
カウンタ６０４は、時間情報ストリームパーザー６０３により生成されたＰＣＲを参照して、発振器６０５でＭＰＥＧ−２エンコーディング装置とＭＰＥＧ−２デコーディング装置とを同期させるためのクロック制御信号を出力する。また、カウンタ６０４は、発振器６０５により発生した２７ＭＨｚマスタークロック信号によって４２ビット単位でカウンティングすることによって、９０ＫＨｚクロック信号及び２７ＫＨｚクロック信号を生成する。より詳細に説明すれば、カウンタ６０４は、４２ビットカウンティング値のうち上位３３ビットに該当するカウンティング値から９０ＫＨｚクロック信号を獲得し、下位９ビットに該当するカウンティング値から２７ＫＨｚクロック信号を獲得する。
【００５１】
発振器６０５は、カウンタ６０４から出力されたクロック制御信号によって２７ＭＨｚマスタークロック信号を生成する。
【００５２】
制御部６０６は、時間情報ストリームパーザー６０３により生成された時間情報を参照して、２Ｄビデオデコーダ６０７により生成された２次元ビデオデータまたは３Ｄビデオデコーダ６０８により生成された３次元ビデオデータのうちいずれか一つが出力されるように制御する。より具体的に説明すれば、制御部６０５は、ビデオコンテンツが２次元で表示される区間からは２Ｄビデオデコーダ６０７により生成された２次元ビデオデータが出力されるように、時間情報ストリームパーザー６０３により生成された時間情報のうちスプライシングポイントフラッグ３２１及びスプライスカウントダウン３２２を参照して２Ｄビデオデコーダ６０７と第１  Ｄ／Ａ変換器６１２とを連結するスイッチを制御し、ビデオコンテンツが３次元で表示される一部区間では３Ｄビデオデコーダ６０８により生成された３次元ビデオデータが出力されるように、時間情報ストリームパーザー６０３により生成された時間情報のうちスプライシングポイントフラッグ３２１及びスプライスカウントダウン３２２を参照して、３Ｄビデオデコーダ６０８と第２  Ｄ／Ａ変換器６１３とを連結するスイッチを制御する。
【００５３】
また、制御部６０６は、時間情報ストリームパーザー６０３により生成された時間情報のうちスプライシングポイントフラッグ３２１及びスプライスカウントダウン３２２を参照して、２Ｄ／３Ｄスイッチング表示部６１４での２Ｄ／３Ｄスイッチングを制御するための２Ｄ／３Ｄスイッチ制御信号を出力する。
【００５４】
また、制御部６０６は、ビデオコンテンツの表示区間全体に対して２Ｄビデオデコーダ６０７でのデコーディング結果が出力されるように制御するか、前記の一部区間を除外した残りの区間に対して２Ｄビデオデコーダ６０７でのデコーディング結果が出力されるように制御する。前者の場合をより具体的に説明すれば、制御部６０６は、２Ｄビデオデコーダ６０７でのデコーディング結果である２次元ビデオデータがビデオコンテンツの表示区間中に常に第１  Ｄ／Ａ変換器６１２に出力されるように、２Ｄビデオデコーダ６０７と第１  Ｄ／Ａ変換器６１２とを連結するスイッチを制御する。後者の場合をより具体的に説明すれば、制御部６０６は、２Ｄビデオデコーダ６０７でのデコーディング結果である２次元ビデオデータが、前記の一部区間を除外した残りの区間中のみ第１  Ｄ／Ａ変換器６１２に出力されるように、２Ｄビデオデコーダ６０７と第１  Ｄ／Ａ変換器６１２とを連結するスイッチを制御する。
【００５５】
また、制御部６０６は、プログラム情報ストリームパーザー６０３により生成されたプログラム情報を参照して、トランスポートストリームから複数のプログラムそれぞれに該当する２次元ビデオデータ、３次元ビデオデータ、及びオーディオデータが分離されて抽出されるようにＤＥＭＵＸ  ６０２でのデマルチプレクシングを制御する。特に、本実施形態によれば、制御部６０６は、プログラム情報ストリームパーザー６０３により生成された時間情報のうちビデオコンテンツが３次元で表示される一部区間に関するプログラムエレメントのタイプ、この３次元ビデオデータに対するパケットのプログラムＩＤ、及びこの３次元ビデオデータに関する叙述情報を参照して３次元ビデオデータのみ分離されて抽出されるように、ＤＥＭＵＸ  ６０２でのデマルチプレクシングを制御する。
【００５６】
２Ｄビデオデコーダ６０７は、ＤＥＭＵＸ  ６０２により抽出された２次元ビデオストリームをカウンタ６０４により生成された９０ＫＨｚクロック信号によって同期化されてデコーディングすることによって、ビデオコンテンツを２次元で表示するための２次元ビデオデータを生成する。
【００５７】
特に、本実施形態が図１に図示された第１の方式１１によるならば、２Ｄビデオデコーダ６０７は、ビデオコンテンツの表示区間全体を２次元で表示するための２次元ビデオデータを生成する。また、本実施形態が図１に図示された第２の方式１１によるならば、２Ｄビデオデコーダ６０７は、ビデオコンテンツが３次元で表示される一部区間を除外した残りの区間を２次元で表示するための２次元ビデオデータを生成する。
【００５８】
３Ｄビデオデコーダ６０８は、ＤＥＭＵＸ  ６０２により抽出された３次元ビデオストリームをカウンタ６０４により生成された９０ＫＨｚクロック信号によって同期化してデコーディングすることによって、ビデオコンテンツの表示区間のうち少なくとも一つ以上の一部区間を３次元で表示するための３次元ビデオデータを生成する。
【００５９】
オーディオデコーダ６０９は、ＤＥＭＵＸ  ６０２により抽出されたオーディオストリームを、カウンタ２０５により生成された９０ＫＨｚクロック信号によって同期化してデコーディングすることによってオーディオデータを生成する。
【００６０】
プログラム情報ストリームパーザー６１０は、ＤＥＭＵＸ  ６０２により抽出されたプログラム情報ストリームをパージングすることによって、トランスポートストリームに含まれた２次元ビデオデータ、３次元ビデオデータ、及びオーディオデータをＭＰＥＧ−２デコーディング装置によりいずれか一つのプログラムで識別可能にするためのプログラム情報を生成する。特に、本実施形態によれば、プログラム情報ストリームパーザー６１０は、ビデオコンテンツが３次元で表示される一部区間に関するプログラム情報を生成する。
【００６１】
前記のように、プログラム情報は、ビデオコンテンツが３次元で表示される一部区間に関するプログラムエレメントのタイプであるストリームタイプ４１、この３次元ビデオデータに対するパケットのプログラムＩＤであるエレメンタリーＰＩＤ  ４２、及びこの３次元ビデオデータに関する叙述情報であるデスクリプタ４３を含み、それ以外にもＭＰＥＧ−２規格上のＰＳＩ及びＰＳＩＰなどを含む。
【００６２】
クロック分周器６１１は、発振器６０５により生成された２７ＭＨｚマスタークロック信号を分周してビデオクロック信号とオーディオクロック信号とを生成する。
【００６３】
第１  Ｄ／Ａ変換器６１２は、クロック分周器２０２により生成されたビデオクロック信号によって２Ｄビデオデコーダ６０７により生成された２次元ビデオデータ、または３Ｄビデオデコーダ６０８により生成された３次元ビデオデータをアナログビデオデータに変換する。
【００６４】
第２  Ｄ／Ａ変換器６１３は、クロック分周器２０２により生成されたオーディオクロック信号によってオーディオデコーダ６０９により生成された３次元ビデオデータをアナログオーディオデータに変換する。
【００６５】
２Ｄ／３Ｄスイッチング表示部６１４は、制御部６０６から出力された２Ｄ／３Ｄスイッチング表示部６１４での２Ｄ／３Ｄスイッチング制御信号によって、第１  Ｄ／Ａ変換器６１２での変換結果であるアナログビデオデータを２次元または３次元で表示する。
【００６６】
図７は、本発明に望ましい一実施形態に適用可能な２Ｄ／３Ｄスイッチング表示方式を示す図である。図７を参照するに、本実施形態に適用可能な２Ｄ／３Ｄスイッチング表示方式のうち第１の方式７１は電気的に２Ｄ／３Ｄスイッチングを行う。本実施形態にこの方式を適用すれば、２Ｄ／３Ｄスイッチング表示部６１４は、制御部６０６から出力された２Ｄ／３Ｄスイッチング表示部６１４での２Ｄ／３Ｄスイッチング制御信号によって、ビデオコンテンツを３次元で表示する一部区間の開始時点に偏光スイッチに電圧を加えれば、偏光現象によって第２
Ｄ／Ａ変換器６１３により変換されたアナログビデオデータのうち人間の右眼に適用されるビデオデータは右眼に、左眼に適用されるビデオデータは左眼に収斂する。これは、イギリス特許ＧＢ  ２０００１２９９９２（発明の名称、“ｃｏｎｔｒｏｌ  ｏｆ  ｏｐｔｉｃａｌ  ｓｗｉｔｃｈｉｎｇ  ａｐｐａｒａｔｕｓ”）に詳細に記述されている。
【００６７】
また、第２の方式７２は、機械的に２Ｄ／３Ｄスイッチングを行う。本実施形態にこの方式を適用すれば、２Ｄ／３Ｄスイッチング表示部６１４は、制御部６０６から出力された２Ｄ／３Ｄスイッチング表示部６１４での２Ｄ／３Ｄスイッチング制御信号によって、ビデオコンテンツを３次元で表示する一部区間の開始時点に上板レンズを水平に移動させて、屈折差によって第２  Ｄ／Ａ変換器６１３により変換されたアナログビデオデータのうち人間の右眼に適用されるビデオデータは右眼に、左眼に適用されるビデオデータは左眼に収斂する。これはヨーロッパ特許ＥＰ  １３９４５９３（発明の名称、“３Ｄ  ｉｍａｇｅ／２Ｄ  ｉｍａｇｅ  ｓｗｉｔｃｈｉｎｇ  ｄｉｓｐｌａｙ  ａｐｐａｒａｔｕｓ  ａｎｄ  ｐｏｒｔａｂｌｅ  ｔｅｒｍｉｎａｌ  ｄｅｖｉｃｅ”）に詳細に記述されている。
【００６８】
当業者ならば、前記の２Ｄ／３Ｄスイッチング表示方式以外に他の方式を使用して２Ｄ／３Ｄスイッチングを行えるということを理解できる。
【００６９】
オーディオ出力部６１５は、第２  Ｄ／Ａ変換器６１３での変換結果であるアナログオーディオデータを出力する。
【００７０】
図８は、本発明の望ましい一実施形態によるＭＰＥＧ−２エンコーディング方法のフローチャートである。図８を参照するに、本実施形態によるＭＰＥＧ−２エンコーディング方法は、次のようなステップで構成される。本実施形態によるＭＰＥＧ−２エンコーディング方法は、図２に図示されたＭＰＥＧ−２エンコーディング装置で時系列的に処理されるステップで構成される。したがって、以下省略された内容であっても、図２に図示されたＭＰＥＧ−２エンコーディング装置に関して以上で記述された内容は、本実施形態によるＭＰＥＧ−２エンコーディング方法にも適用される。
【００７１】
８１ステップで、ＭＰＥＧ−２エンコーディング装置は、元来のビデオコンテンツに該当するアナログビデオデータをデジタルビデオデータに変換する。
【００７２】
８２ステップで、ＭＰＥＧ−２エンコーディング装置は、元来のオーディオコンテンツに該当するアナログオーディオデータをデジタルオーディオデータに変換する。
【００７３】
８３ステップで、ＭＰＥＧ−２エンコーディング装置は、８１ステップでの変換結果であるデジタルビデオデータのうちビデオコンテンツを２次元で表示するための２次元ビデオデータをエンコーディングすることによって、２次元ビデオストリームを生成する。特に、本実施形態が図１に図示された第１の方式１１によるならば、８３ステップで、ＭＰＥＧ−２エンコーディング装置は、ビデオコンテンツの表示区間全体を２次元で表示するための２次元ビデオデータをエンコーディングする。また、本実施形態が図１に図示された第２の方式１１によるならば、８３ステップで、ＭＰＥＧ−２エンコーディング装置は、ビデオコンテンツが３次元で表示される一部区間を除外した残りの区間を２次元で表示するための２次元ビデオデータをエンコーディングする。
【００７４】
８４ステップで、ＭＰＥＧ−２エンコーディング装置は、８１ステップでの変換結果であるデジタルビデオデータのうちビデオコンテンツを３次元で表示するための３次元ビデオデータをエンコーディングすることによって、３次元ビデオストリームを生成する。
【００７５】
８５ステップで、ＭＰＥＧ−２エンコーディング装置は、８１ステップでの変換結果であるデジタルオーディオデータをエンコーディングすることによってオーディオストリームを生成する。
【００７６】
８６ステップで、ＭＰＥＧ−２エンコーディング装置は、８３−８５ステップで生成されたストリームをＭＰＥＧ−２デコーディング装置により適切な時点にデコーディングさせるための時間情報を表す時間情報ストリームを生成する。特に、本実施形態によれば、８６ステップで、ＭＰＥＧ−２エンコーディング装置は、ビデオコンテンツが３次元で表示される一部区間に関する時間情報を表す時間情報ストリームを生成する。
【００７７】
８７ステップで、ＭＰＥＧ−２エンコーディング装置は、８３−８５ステップで生成されたストリームをＭＰＥＧ−２デコーディング装置によりいずれか一つのプログラムで識別可能にするためのプログラム情報を表すプログラム情報ストリームを生成する。特に、本実施形態によれば、８７ステップで、ＭＰＥＧ−２エンコーディング装置は、ビデオコンテンツが３次元で表示される一部区間に関するプログラム情報を表すプログラム情報ストリームを生成する。
【００７８】
８８ステップで、ＭＰＥＧ−２エンコーディング装置は、８３ステップで生成された２次元ビデオストリーム２０８、８４ステップで生成された３次元ビデオストリーム、８５ステップで生成されたオーディオストリーム、８６ステップで生成された時間情報ストリーム、及び８７ステップで生成されたプログラム情報ストリームをマルチプレクシングすることによってトランスポートストリームを生成する。
【００７９】
８９ステップで、ＭＰＥＧ−２エンコーディング装置は、８８ステップで生成されたトランスポートストリームをＭＰＥＧ−２デコーディング装置に伝送する。
【００８０】
図９は、本発明の望ましい一実施形態によるＭＰＥＧ−２デコーディング方法のフローチャートである。図９を参照するに、本実施形態によるＭＰＥＧ−２デコーディング方法は、次のようなステップで構成される。本実施形態によるＭＰＥＧ−２デコーディング方法は、図６に図示されたＭＰＥＧ−２デコーディング装置で時系列的に処理されるステップで構成される。したがって、以下省略された内容であっても、図６に図示されたＭＰＥＧ−２デコーディング装置に関して以上で記述された内容は、本実施形態によるＭＰＥＧ−２デコーディング方法にも適用される。
【００８１】
９０１ステップで、ＭＰＥＧ−２デコーディング装置は、ＭＰＥＧ−２エンコーディング装置からトランスポートストリームを受信する。
【００８２】
９０２ステップで、ＭＰＥＧ−２デコーディング装置は、９０１ステップで受信されたトランスポートストリームをデマルチプレクシングすることによって時間情報ストリーム及びプログラム情報ストリームを抽出する。
【００８３】
９０３ステップで、ＭＰＥＧ−２デコーディング装置は、９０２ステップで抽出された時間情報ストリームをパージングすることによって、９０２ステップで抽出されたストリームをＭＰＥＧ−２デコーディング装置により適切な時点にデコーディングさせるための時間情報を生成する。特に、本実施形態によれば、９０３ステップで、ＭＰＥＧ−２デコーディング装置は、ビデオコンテンツが３次元で表示される一部区間に関する時間情報を生成する。
【００８４】
９０４ステップで、ＭＰＥＧ−２デコーディング装置は、９０２ステップで抽出されたプログラム情報ストリームをパージングすることによって、トランスポートストリームに含まれた２次元ビデオデータ、３次元ビデオデータ、及びオーディオデータをいずれか一つのプログラムで識別可能にするためのプログラム情報を生成する。特に、本実施形態によれば、９０４ステップで、ＭＰＥＧ−２デコーディング装置は、ビデオコンテンツが３次元で表示される一部区間に関するプログラム情報を生成する。
【００８５】
９０５ステップで、ＭＰＥＧ−２デコーディング装置は、９０４ステップで生成されたプログラム情報、特に一部区間に関するプログラム情報を参照して９０１ステップで受信されたトランスポートストリームをデマルチプレクシングすることによって、２次元ビデオストリーム、３次元ビデオストリーム、及びオーディオストリームを抽出する。
【００８６】
９０６ステップで、ＭＰＥＧ−２デコーディング装置は、９０５ステップで抽出された２次元ビデオストリームをデコーディングすることによって、ビデオコンテンツを２次元で表示するための２次元ビデオデータを生成する。特に、本実施形態が図１に図示された第１の方式１１によるならば、９０６ステップで、ＭＰＥＧ−２デコーディング装置は、ビデオコンテンツの表示区間全体を２次元で表示するための２次元ビデオデータを生成する。また、本実施形態が図１に図示された第２の方式１１によるならば、９０６ステップで、ＭＰＥＧ−２デコーディング装置は、ビデオコンテンツが３次元で表示される一部区間を除外した残りの区間を２次元で表示するための２次元ビデオデータを生成する。
【００８７】
９０７ステップで、ＭＰＥＧ−２デコーディング装置は、９０５ステップで抽出された３次元ビデオストリームをデコーディングすることによって、ビデオコンテンツの表示区間のうち少なくとも一つ以上の一部区間を３次元で表示するための３次元ビデオデータを生成する。
【００８８】
９０８ステップで、ＭＰＥＧ−２デコーディング装置は、９０５ステップで抽出されたオーディオストリームをデコーディングすることによってオーディオデータを生成する。
【００８９】
９０９ステップで、ＭＰＥＧ−２デコーディング装置は、９０３ステップで生成された時間情報のうち一部区間に関する時間情報を参照して９０４ステップで生成された２次元ビデオデータ、または９０５ステップでデコーディングされた３次元ビデオデータのうちいずれか一つをアナログビデオデータに変換する。
【００９０】
９１０ステップで、ＭＰＥＧ−２デコーディング装置は、９０８ステップで生成されたオーディオデータをアナログオーディオデータに変換する。
【００９１】
９１１ステップで、ＭＰＥＧ−２デコーディング装置は、９０３ステップで生成された時間情報のうち一部区間に関する時間情報を参照して、９０９ステップで変換されたアナログビデオデータを２次元または３次元で表示する。
【００９２】
９１２ステップで、ＭＰＥＧ−２デコーディング装置は、９１０ステップで生成されたアナログオーディオデータを出力する。
【００９３】
一方、前述した本発明の実施形態は、コンピュータで実行できるプログラムで作成可能であり、コンピュータで読み取り可能な記録媒体を利用して前記プログラムを動作させる汎用デジタルコンピュータで具現できる。また、前述した本発明の実施形態で使われたデータの構造は、コンピュータで読み取り可能な記録媒体にいろいろな手段を通じて記録できる。
【００９４】
前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような記録媒体を含む。
【００９５】
これまで本発明についてその望ましい実施形態を中心に説明した。当業者ならば本発明が本発明の本質的な特性から逸脱しない範囲で変形された形態に具現されるということを理解できる。したがって、開示された実施形態は限定的な観点ではなく説明的な観点で考慮されねばならない。本発明の範囲は、前述した説明ではなく特許請求の範囲に現れており、それと同等な範囲内にあるあらゆる差異点は本発明に含まれていると解釈されねばならない。
【産業上の利用可能性】
【００９６】
本発明は、ビデオデータをエンコーディング／デコーディングする装置、例えば、ＤＶＤプレーヤーなどに適用できる。
【図面の簡単な説明】
【００９７】
【図１】本発明の望ましい一実施形態による２次元ビデオ基盤のローカル３次元ビデオの具現方式を示す図である。
【図２】本発明の望ましい一実施形態によるＭＰＥＧ−２エンコーディング装置の構成図である。
【図３】本発明の望ましい一実施形態によるトランスポートストリームのフォーマットを示す図である。
【図４】本発明の望ましい一実施形態によるプログラムマップテーブルのフォーマットを示す図である。
【図５】本発明の望ましい一実施形態によるビデオコンテンツの表示タイミング図である。
【図６】本発明の望ましい一実施形態によるＭＰＥＧ−２デコーディング装置の構成図である。
【図７】本発明に望ましい一実施形態に適用可能な２Ｄ／３Ｄスイッチング表示方式を示す図である。
【図８】本発明の望ましい一実施形態によるＭＰＥＧ−２エンコーディング方法のフローチャートである。
【図９】本発明の望ましい一実施形態によるＭＰＥＧ−２デコーディング方法のフローチャートである。
【符号の説明】
【００９８】
６０１  受信部
６０２  ＤＥＭＵＸ
６０３  時間情報ストリームパーザー
６０４  カウンタ
６０５  発振器
６０６  制御部
６０７  ２Ｄビデオデコーダ
６０８  ３Ｄビデオデコーダ
６０９  オーディオデコーダ
６１０  プログラム情報ストリームパーザー
６１１  クロック分周器
６１２  第１  Ｄ／Ａ変換器
６１３  第２  Ｄ／Ａ変換器
６１４  ２Ｄ／３Ｄスイッチング表示部
６１５  オーディオ出力部
【図１】
0005137345.tif 000002
【図２】
0005137345.tif 000003
【図３】
0005137345.tif 000004
【図４】
0005137345.tif 000005
【図５】
0005137345.tif 000006
【図６】
0005137345.tif 000007
【図７】
0005137345.tif 000008
【図８】
0005137345.tif 000009
【図９】
0005137345.tif 000010